(57)【特許請求の範囲】
【請求項１】
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、を備える、ユーザ装置におけるワイヤレス通信のための方法。
【請求項２】
前記測定することは、
前記第１のＲＡＴからの第１の送信電力を測定することと、
前記第２のＲＡＴからの第２の送信電力を測定することと、
を備え、
デュープレクス化することは、さらに、前記測定された送信電力の合計が、前記固有吸収率（ＳＡＲ）の閾値を超えたとき、前記第１のＲＡＴの送信を前記第２のＲＡＴの送信とデュープレクス化すること、を備える請求項１記載の方法。
【請求項３】
デュープレクス化することは、時分割デュープレクス化することである
請求項１記載の方法。
【請求項４】
前記第１のＲＡＴは、時分割デュープレクス化（ＴＤＤ）ＲＡＴであり、
前記第２のＲＡＴによる送信は、前記第１のＲＡＴの受信時間に制限されている請求項３記載の方法。
【請求項５】
デュープレクス化することは、日和見的である
請求項１記載の方法。
【請求項６】
デュープレクス化することは、決定論的である
請求項１記載の方法。
【請求項７】
プログラムを記憶しているメモリと、
前記メモリに組み合わされた少なくとも１つのプロセッサと、
を備え、
前記少なくとも１つのプロセッサは、前記プログラムの実行時に下記のこと、即ち、
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、
を実行するように構成されているワイヤレス通信のための装置。
【請求項８】
前記少なくとも１つのプロセッサは、
前記第１のＲＡＴからの第１の送信電力を測定することによって、
および、前記第２のＲＡＴからの第２の送信電力を測定することによって、
測定するように構成されており
前記少なくとも１つのプロセッサは、
前記測定された送信電力の合計が、前記固有吸収率（ＳＡＲ）の閾値を超えたとき、前記第１のＲＡＴの送信を前記第２のＲＡＴの送信とデュープレクス化することによってデュープレクス化するように構成されている
請求項７記載の装置。
【請求項９】
前記少なくとも１つのプロセッサは、
時分割デュープレクス化によりデュープレクス化するよう構成されている
請求項７記載の装置。
【請求項１０】
前記第１のＲＡＴは、時分割デュープレクス化（ＴＤＤ）ＲＡＴであり、
前記第２のＲＡＴによる送信は、前記第１のＲＡＴの受信時間に制限されている請求項９記載の装置。
【請求項１１】
前記少なくとも１つのプロセッサは、
日和見的なデュープレクス化に構成されている
請求項７記載の装置。
【請求項１２】
前記少なくとも１つのプロセッサは、
決定論的なデュープレクス化に構成されている
請求項７記載の装置。
【請求項１３】
ワイヤレスネットワークにおけるワイヤレス通信のためのコンピュータプログラムであって、前記コンピュータプログラムは、
プロセッサによって実行されるときに下記のこと、即ち、
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、
を実行するプログラムコードを備えるコンピュータプログラム。
【請求項１４】
前記測定することは、
少なくとも１つの無線アクセス技術（ＲＡＴ）からの送信電力を測定することを備え、
前記デュープレクス化することは、前記測定された送信電力が、固有吸収率（ＳＡＲ）の閾値に関連付けられた値を超えたとき、前記第１のＲＡＴの送信を前記第２のＲＡＴの送信とデュープレクス化することをさらに備える、
請求項１３記載のコンピュータプログラム。
【請求項１５】
ワイヤレス通信のための装置であって、前記装置は、
少なくとも１つの無線アクセス技術（ＲＡＴ）からの送信電力を測定するための手段と、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化するための手段と、を有するワイヤレス通信のための装置。
【請求項１６】
前記デュープレクス化するための手段は、
日和見的または決定論的である
請求項１５記載の装置。
【発明の詳細な説明】
【技術分野】
【０００１】
関連出願の相互参照
[0001]   本出願は、その開示全体が引用により本明細書に明確に組み込まれる、２０１１年１２月１５日に出願された「複数無線の共存（MULTI-RADIO COEXISTENCE）」と題する米国仮特許出願第６１／５７６，２９６号の米国特許法第１１９条（ｅ）項に基づく利益を主張する。
【０００２】
[0002]   本開示の態様は、一般的には複数無線技術に、より詳細には、複数無線デバイス（multi-radio devices）向けの共存技術（coexistence techniques）に関する。
【背景技術】
【０００３】
[0003]   ワイヤレス通信システムは、音声、データやその他のような、さまざまなタイプのコミュニケーションコンテンツを提供するために広く展開されている。これらのシステムは、利用可能なシステムリソース（たとえば、バンド幅や送信電力）を共有することによって、複数ユーザとの通信をサポートすることが可能な複数アクセスシステムとなり得る。そのような複数アクセスシステムの例としては、符号分割多元接続（ＣＤＭＡ：code division multiple access）システムや、時間分割多元接続（ＴＤＭＡ：time division multiple access）システムや、周波数分割多元接続（ＦＤＭＡ：frequency division multiple access）システムや、３ＧＰＰロングタームエボリューション（ＬＴＥ：Long Term Evolution）システムや、直交周波数分割多元接続（ＯＦＤＭＡ：orthogonal frequency division multiple access）システムを含んでいる。
【０００４】
[0004]   一般に、ワイヤレス複数アクセス通信システムは、複数ワイヤレス端末の通信を同時にサポートすることができる。各端末は、順方向と逆方向リンクにおける通信を介して、１つまたは複数の基地局と通信する。順方向リンク（すなわちダウンリンク）は、基地局から端末までの通信リンクを指し、逆方向リンク（すなわちアップリンク）は、端末から基地局までの通信リンクを指す。この通信リンクは、単一入力−単一出力、多入力−単一出力、または多入力−多出力（ＭＩＭＯ：multiple-in-multiple out）システムを介して確立されるものであってもよい。
【０００５】
[0005]   いくつかの従来の進歩したデバイスは、異なる無線アクセス技術（ＲＡＴｓ：Radio Access Technologies）を用いた送信／受信用の複数の無線を含んでいる。ＲＡＴｓの例は、例えば、ユニバーサルモバイルテレコミュニケーションシステム（ＵＭＴＳ：Universal Mobile Telecommunications System）、モバイルコミュニケーション用グローバルシステム（ＧＳＭ（登録商標）：Global System for Mobile Communications）、ｃｄｍａ２０００、ＷｉＭＡＸ、ＷＬＡＮ（例えばＷｉＦｉ）、ブルートゥース、ＬＴＥなどを含んでいる。
【０００６】
[0006]   モバイルデバイスの例は、第４世代（４Ｇ；fourth generation）モバイル電話のようなＬＴＥユーザ装置（ＵＥ：User Equipment）を含んでいる。そのような４Ｇ電話は、ユーザに対し  種々の機能を提供するための多様な無線を含み得る。この例の目的のため、４Ｇ電話は、音声・データ用のＬＴＥ無線、ＩＥＥＥ８０２．１１（ＷｉＦｉ）無線、グローバルポジショニングシステム（ＧＰＳ：Global Positioning System）無線、ブルートゥース無線を含んでおり、ここで上記のうち２つ、または４つ全部が同時に動作し得る。異なる無線は、電話に対し便利な機能を提供するが、一つのデバイスにおけるそれらの混在は、共存の問題を引き起こす。具体的にいうと、ひとつの無線の動作が、放射性、伝導性、リソースの衝突、および／または、他の干渉メカニズムにより、ある場合には、他の無線の動作と干渉し得る。共存の問題とは、そのような干渉を含んでいる。
【０００７】
[0007]   このことはＬＴＥのアップリンクチャンネルに、特にあてはまり、それは産業・科学・医療（ＩＳＭ：Industrial Scientific and Medical）バンドに隣接しており、それと干渉を引き起こし得る。ブルートゥースと、あるワイヤレスローカルエリアネットワーク（ＷＬＡＮ：Wireless local area network）のチャンネルが、ＩＳＭバンドの中に含まれていることが注目される。いくつかの事例では、ブルートゥースの誤り率が、バンド７のいくつかのチャンネンルにおいて、またはいくつかのブルートゥースチャンネンルコンディション用のバンド４０においてでも、ＬＴＥが動作中となったときに、許容範囲外になり得る。ＬＴＥに対して重大な劣化はないが、ブルートゥースと同時の動作は、ブルートゥースヘッドセットに終端される音声サービスにおける混乱の原因となり得る。そのような混乱は、消費者にとって許容しがたいであろう。同様な問題が、ＬＴＥ送信がＧＰＳと干渉するときに存在する。現在、ＬＴＥそのものは、いかなる劣化も経験していないので、この問題を解決できる機構はない。
【０００８】
[0008]   特にＬＴＥに関連して、ＵＥは、ダウンリンク上でＵＥにより観測される干渉をｅノードＢに伝えるために、進化型ノードＢ（ｅＮＢ：例えば無線通信ネットワーク用の基地局）と通信することが、注目される。さらに、ｅノードＢは、ダウンリンクの誤り率を用いてＵＥにおける干渉を推定することも可能であり得る。いくつかの場合には、ｅノードＢとＵＥは、ＵＥにおける干渉、ＵＥそのもの内の無線に起因する干渉さえも低減させる解決方法を見つけるために協同して動作することが可能である。しかしながら、従来のＬＴＥにおける、ダウンリンクに関する干渉の推定は、包括的に干渉に取り組むには適当ではないかもしれない。
【０００９】
[0009]   一例において、ＬＴＥのアップリンク信号が、ブルートゥース信号またはＷＬＡＮ信号と干渉する。しかしながら、そのような干渉は、ｅノードＢにおけるダウンリンクの測定レポートには反映されない。結果として、一部のＵＥにおける一方的な動作(例えば異なるチャンネルへのアップリンク信号の移動) がｅノードＢにより阻止され得、アップリンク共存の問題を知らずに、一方的な動作を取り消そうとする。例えば、ＵＥが、異なる周波数チャンネルで接続を再確立したとしても、ネットワークは、やはり、デバイス内の干渉により破損された元の周波数チャンネルへ戻るようにＵＥをハンドオーバーすることができる。破損されたチャンネルにおける所望の信号強度が、ｅノードＢへの基準信号受信電力（ＲＳＲＰ：Reference Signal Received Power ）に基づく新しいチャンネルの測定レポートに反映されたものより、しばしば高い場合があるので、これは起こり得るシナリオである。それ故、ｅノードＢがハンドオーバーの決定を行うためにＲＳＲＰレポートを使用する場合、破損されたチャンネルと所望のチャンネル間で、行ったり来たり転送されるピンポン効果は起こり得る。
【００１０】
[0010]   ｅノードＢの調整を伴わないアップリンク通信の単純停止のような一部のＵＥの一方的な動作は、ｅノードＢにおけるパワーループの誤動作を引き起こし得る。従来のＬＴＥに存在する追加の問題は、共存の問題を有する形態の代替としての所望の形態を提示する、ＵＥの一部における能力の全般的な欠如を含んでいる。少なくともこれらの理由のため、ＵＥにおけるアップリンクの共存の問題は、ＵＥの他の無線に対する能率と性能を劣化させたまま長期間にわたり未解決のまま残存し得る。
【発明の概要】
【００１１】
[0011]  一態様では、ワイヤレス通信の方法が開示される。当該方法は、少なくとも一つの無線アクセス技術（ＲＡＴ：radio access technology）からの送信電力の測定を含んでいる。当該方法は、測定された前記送信電力が、固有吸収率（ＳＡＲ：specific absorption rate）の閾値に関連付けられた値を超えたとき、第１のＲＡＴの送信を第２のＲＡＴの送信とデュープレクス化することも含んでいる。
【００１２】
[0012]   別の態様は、メモリと、このメモリに結合された少なくとも１つのプロセッサとを有するワイヤレス通信を開示する。前記プロセッサは、少なくとも一つの無線アクセス技術（ＲＡＴ：radio access technology）からの送信電力を測定するように構成されている。前記プロセッサは、測定された前記送信電力が、固有吸収率（ＳＡＲ：specific absorption rate）の閾値に関連付けられた値を超えたとき、第１のＲＡＴの送信を第２のＲＡＴの送信とデュープレクス化するようにも構成されている。
【００１３】
[0013]   別の態様では、一時的ではない、コンピュータ可読媒体を有する、無線ネットワークにおける無線通信用のコンピュータプログラム製品が開示されている。前記コンピュータ可読媒体は、それに記録された一時的ではないプログラムコードを有し、プロセッサにより実行されたとき、前記プロセッサに、少なくとも一つの無線アクセス技術（ＲＡＴ：radio access technology）からの送信電力を測定する動作を実行することを引き起こす。前記プログラムコードは、また、前記プロセッサに、測定された前記送信電力が、固有吸収率（ＳＡＲ：specific absorption rate）の閾値に関連付けられた値を超えたとき、第１のＲＡＴの送信を第２のＲＡＴの送信とデュープレクス化することを引き起こす。
【００１４】
[0014]   他の態様は、少なくとも一つの無線アクセス技術（ＲＡＴ：radio access technology）からの送信電力を測定するための手段を含む装置を開示する。前記装置は、測定された前記送信電力が、固有吸収率（ＳＡＲ：specific absorption rate）の閾値に関連付けられた値を超えたとき、第１のＲＡＴの送信を第２のＲＡＴの送信とデュープレクス化するための手段も、また含んでいる。
【００１５】
[0015]   本開示のさらなる特徴および利点が以下に説明される。この開示が、本開示と同じ目的を実行するための他の構造を改良または設計するための基礎として容易に利用され得ることは、当業者によって理解されるべきである。また、そのような等価の構成が、添付された特許請求の範囲に記載の本開示の教示から逸脱しないことも、当業者によって理解されるべきである。さらなる目的および利点とともに、本開示の構成および動作の方法の両方について、本開示の特徴であると考えられる新規な特徴は、添付図面と関連して考慮されるとき、以下の説明からより良く理解されるであろう。しかしながら、各々の図は、例示および説明のみの目的で提供され、本開示の限定の定義として意図されるものではないことが、明確に理解されるべきである。
【図面の簡単な説明】
【００１６】
[0016]  本開示の特徴、性質および利点は、類似の参照記号が全体を通して対応して識別できる図面と関連して捉えられると、以下で述べられる詳細な説明からより明らかになる。
【図１】[0017]  図１は、一態様による複数アクセスワイヤレス通信システムを説明する。
【図２】[0018]  図２は、一態様による通信システムのブロック図である。
【図３】[0019]  図３は、ダウンリンクのロングタームエボリューション（ＬＴＥ：Long Term Evolution）通信における典型的なフレーム構成を説明する。
【図４】[0020]  図４は、アップリンクのロングタームエボリューション（ＬＴＥ：Long Term Evolution）通信における典型的なフレーム構成を概念的に説明したブロック図である。
【図５】[0021]  図５は、ワイヤレス通信環境の例を説明する。
【図６】[0022]  図６は、複数無線ワイヤレスデバイスの設計例のブロック図である。
【図７】[0023]  図７は、与えられた決定期間における例としての７つの無線の間の、個別の潜在的な衝突を表した図である。
【図８】[0024]  図８は、時間とともに共存管理装置（ＣｘＭ：Coexistence Manager）の動作例を表した図である。
【図９】[0025]  図９は、隣接した周波数バンドを説明したブロック図である。
【図１０】[0026]  図１０は、本公開の一態様による複数無線共存管理用のワイヤレス通信環境内でサポートを提供するシステムのブロック図である。
【図１１】[0027]  図１１は、送信のデュープレクス化を説明したブロック図である。
【図１２】[0028]  図１２は、本公開の一態様による出力管理を説明したブロック図である。
【図１３】[0029]  図１３は、出力管理を使用する装置用にハードウェアの実装例を説明した図である。
【発明を実施するための形態】
【００１７】
[0030]  開示の様々な態様が、複数無線デバイスにおけるエネルギー送信問題に技術を提供する。モバイル通信デバイスのような、一定のデバイスにおいては、合衆国連邦通信委員会（ＦＣＣ：the United States Federal Communication Commission）のような政府の、または他の団体が、デバイスが送信できるエネルギーの量を規制し得る。例えば、ＦＣＣは、モバイルデバイスを使用したときに、人体により吸収される無線周波数エネルギーの量の大きさを規制している。吸収されるエネルギーの量は、固有吸収率（ＳＡＲ：specific absorption rate）と呼ばれる。安全な照射量を確保するため、ＦＣＣは、自社の電話が、動作中にＳＡＲ閾値限度に適合することを保証するように、携帯電話製造者に求めている。複数無線モバイルデバイスにおいて、第一の無線アクセス技術（ＲＡＴ：radio access technology）の送信が、第二の（またはより多くの）無線アクセス技術（ＲＡＴ）の送信と重なる場合、ＳＡＲ閾値限度は超過され得る。ＳＡＲ限度を超過することを避けるために、複数無線の送信は、下記の方法にてデュープレクス化され得る。
【００１８】
[0031]  符号分割多元接続（ＣＤＭＡ：Code Division Multiple Access）ネットワークや、時間分割多元接続（ＴＤＭＡ：Time Division Multiple Access）ネットワークや、周波数分割多元接続（ＦＤＭＡ：Frequency Division Multiple Access）ネットワークや、直交ＦＤＭＡ（ＯＦＤＭＡ：Orthogonal FDMA）ネットワークや、単一搬送波ＦＤＭＡ（ＳＣ−ＦＤＭＡ：Single-Carrier FDMA）ネットワークや等のような、さまざまなワイヤレス通信ネットワークに対して、ここで記述した技術を使用することができる。「システム」や「ネットワーク」という用語は、互換性があるように使用されることが多い。ＣＤＭＡネットワークは、ユニバーサル地上無線アクセス（ＵＴＲＡ：Universal Terrestrial Radio Access）、ｃｄｍａ２０００等のような無線技術を実装し得る。ＵＴＲＡは、広帯域ＣＤＭＡ（Ｗ−ＣＤＭＡ：Wideband-CDMA）（登録商標）および低チップレート（ＬＣＲ：Low Chip Rate）を含んでいる。ＣＤＭＡ２０００は、ＩＳ−２０００規格、ＩＳ−９５規格、およびＩＳ−８５６規格をカバーする。ＴＤＭＡネットワークは、モバイルコミュニケーション用グローバルシステム（ＧＳＭ（登録商標）：Global System for Mobile Communications）のような無線技術を実装し得る。ＯＦＤＭＡネットワークは、進化型ＵＴＲＡ（Ｅ−ＵＴＲＡ：Evolved UTRA）、ＩＥＥＥ ８０２．１１、ＩＥＥＥ ８０２．１６、ＩＥＥＥ ８０２．２０、フラッシュ−ＯＦＤＭ（Flash-OFDM）（登録商標）等のような無線技術を実装し得る。ＵＴＲＡ、Ｅ−ＵＴＲＡ、およびＧＳＭ（登録商標）は、ユニバーサル・モバイル・テレコミュニケーション・システム（ＵＭＴＳ：Universal Mobile Telecommunication System）の一部である。ロングタームエボリューション（ＬＴＥ：Long Term Evolution）は、Ｅ−ＵＴＲＡを用いるＵＭＴＳの最新の（upcoming）リリースである。ＵＴＲＡ、Ｅ−ＵＴＲＡ、ＧＳＭ（登録商標）、ＵＭＴＳとＬＴＥは、「
第３世代パートナーシッププロジェクト（３ＧＰＰ：3rd Generation Partnership Project）」と名付けられた組織からのドキュメントに記述されている。ＣＤＭＡ２０００は、「第３世代パートナーシッププロジェクト２（３ＧＰＰ２：3rd Generation Partnership Project 2）」と名付けられた組織からのドキュメントに記述されている。これらの様々な無線技術および規格は、当該技術分野において周知である。明確にするために、ＬＴＥについて技術のいくつかの態様は以下に記述され、ＬＴＥ専門用語は以下の記述の一部に使われる。
【００１９】
[0032]  単一キャリア周波数分割多元接続（ＳＣ−ＦＤＭＡ：Single carrier frequency division multiple access ）は、単一キャリア変調と周波数領域の等化（equalization）を利用しているが、ここに述べられた様々な態様とともに利用され得る技術である。ＳＣ−ＦＤＭＡは、ＯＦＤＭＡシステムのものと類似した性能、および、本質的に同一の全体的な複雑性を有する。ＳＣ−ＦＤＭＡ信号は、この固有の単一搬送波構造であるために、より低い平均電力に対するピーク電力の比（ＰＡＰＲ：peak-to-average power ratio）を有する。ＳＣ−ＦＤＭＡは、送信電力効率の観点において、より低いＰＡＰＲがモバイル端末に大いに有益となるアップリンク通信において、特に大きな注目を集めた。ＳＣ−ＦＤＭＡは、現在、３ＧＰＰロングタームエボリューション（ＬＴＥ：Long Term Evolution）または進化型ＵＴＲＡ（Evolved UTRA）における、アップリンク多元接続スキームに対しての動作前提条件である。
【００２０】
[0033]  図1を参照すると、１つの態様にしたがった、複数アクセスワイヤレス通信システムが図示されている。進化型ノードＢ（ｅＮｏｄｅＢ：evolved Node B）１００は、リソースとパラメータを割り当て、ユーザ装置からの要求を許可／拒絶し、および／または、同様によって、ＬＴＥ通信を制御するための記憶リソースと処理リソースを有するコンピュータ１１５を含む。ｅノードＢ１００は、一つのグループはアンテナ１０４とアンテナ１０６を含み、他のグループはアンテナ１０８とアンテナ１１０を含み、更なるグループはアンテナ１１２とアンテナ１１４を含む、複数アンテナグループも具備している。図1では、それぞれのアンテナグループに対して、アンテナを２個のみ示しているが、それぞれのアンテナグループに対して、より多くのアンテナ、または、より少ないアンテナを利用できる。ユーザ装置（ＵＥ：User Equipment）１１６（アクセスターミナル（ＡＴ：Access Terminal）とも呼ばれる）は、アップリンク（ＵＬ：uplink）１８８を通じて、アンテナ１１２および１１４がＵＥ１１６に情報を送信している間、アンテナ１１２および１１４と通信する。ＵＥ１２２は、アンテナ１０６および１０８が、ダウンリンク（ＤＬ：downlink）１２６を通じてＵＥ１２２に情報を送信し、およびアップリンク（ＵＬ：uplink）１２４を通じてＵＥ１２２から情報を受信する間、アンテナ１０６および１０８と通信する。周波数分割デュープレクス化（ＦＤＤ：frequency division duplex）システムにおいて、通信リンク１１８、１２０、１２４、および１２６は、通信のために異なる周波数を使用し得る。例えば、ダウンリンク１２０は、アップリンク１１８で使用されたのと異なる周波数を使用し得る。
【００２１】
[0034]  通信するために設計されている、アンテナおよび／またはエリアのそれぞれのグループは、ｅノードＢ（eNodeB）のセクターと呼ばれることが多い。本態様では、それぞれのアンテナグループは、ｅノードＢ１００によってカバーされるエリアのセクターにおけるＵＥと通信するように設計されている。
【００２２】
[0035]  ダウンリンク１２０および１２６を通じた通信において、ｅノードＢ１００の送信アンテナは、異なるＵＥ１１６および１２２のためのアップリンクのシグナル対ノイズ比（Ｓ／Ｎ比）を改善するために、ビームフォーミングを利用する。また、そのカバレッジを通じて、ランダムに散在するＵＥに送信するために、ビームフォーミングを使用しているｅノードＢは、すべてのそのＵＥに対し、単一アンテナを通じて送信しているＵＥより、隣接する携帯電話におけるＵＥに対するより少ない干渉を引き起こす。
【００２３】
[0036]  ｅノードＢは、端末との通信に利用される固定された局であり得、また、アクセスポイント、ベースステーション、またはいくつかの他の専門用語で呼ばれ得る。また、ＵＥは、アクセス端末、ワイヤレス通信デバイス、端末、またはいくつかの他の専門用語で呼ばれ得る。
【００２４】
[0037]  図２は、ＭＩＭＯシステム２００における送信システム２１０（ｅノードＢ（eNodeB）としても知られる）と、受信システム２５０（UEとしても知られる）の態様のブロック図である。いくつかの場合において、ＵＥとｅノードＢ（eNodeB）の両方はそれぞれ送信システムと受信システムを含むトランシーバを具備している。送信システム２１０において、多数のデータストリームに対するトラフィックデータが、データソース２１２から送信（ＴＸ）データプロセッサ２１４に提供される。
【００２５】
[0038]  ＭＩＭＯシステムは、データ送信のために、複数（ＮＴ個）の送信アンテナと複数（ＮＲ個）の受信アンテナとを用いる。ＮＴ個の送信とＮＲ個の受信アンテナにより形成されたＭＩＭＯチャネルは、ＮＳ個の独立したチャネルに分解され得、それは、空間チャネル（spatial channels）とも呼ばれ、ここで
ＮＳ≦ｍｉｎ｛ＮＴ，ＮＲ｝
である。
【００２６】
ＮＳ個の独立したチャネルのそれぞれは、次元に対応する。前記ＭＩＭＯシステムは、複数の送信アンテナおよび受信アンテナにより生成された追加の次元を利用する場合に、改善された性能（例えば、より高いスループットおよび／またはより大きな信頼性）を提供し得る。
【００２７】
[0039]  ＭＩＭＯシステムは、時分割デュープレクス化（ＴＤＤ：time division duplex）および周波数分割デュープレクス化（ＦＤＤ：frequency division duplex）システムをサポートする。ＴＤＤシステムでは、相反定理（reciprocity principle）が、アップリンクチャネルからのダウンリンクチャネルの推定を可能にするように、アップリンクおよびダウンリンクの送信は、同じ周波数領域上でなされる。このことは、複数のアンテナがｅノードＢ（eNodeB）において利用できる場合、ｅノードＢ（eNodeB）にダウンリンクにおける送信ビームフォーミングゲインを抽出することを可能にする。
【００２８】
[0040]  １つの態様では、それぞれのデータストリームは、各送信アンテナを通して送信される。ＴＸデータプロセッサ２１４は、コード化されたデータを提供するためのデータストリームに対して選択された特定のコーディングスキームに基づいて、各データストリームに対するトラフィックデータをフォーマット化し、コード化し、インターリーブする。
【００２９】
[0041]  各データストリームについてコード化されたデータは、ＯＦＤＭ技術を用いたパイロットデータとマルチプレクサ化され得る。パイロットデータは、知られた方法により処理された知られたデータパターンであり、チャネルの応答を推定するため受信システムにおいて使用され得る。各データストリームに対しコード化され、およびマルチプレクサ化されたパイロットデータは、その後、変調シンボルを提供するために、そのデータストリームに対して選択された特定の変調方式（例えば、ＢＰＳＫ、ＱＳＰＫ、Ｍ−ＰＳＫ、または、Ｍ−ＱＡＭ）に基づいて、変調（例えばシンボルマッピング：symbol mapped）される。各データストリームに対するデータレート、コード化、および変調は、メモリ２３２とともに動作しているプロセッサ２３０により実行された命令により決定され得る。
【００３０】
[0042]  それぞれのデータストリームに対する変調シンボルは、その後、ＴＸ  ＭＩＭＯプロセッサ２２０に提供され、（例えば、ＯＦＤＭのために）変調シンボルをさらに処理し得る。ＴＸ  ＭＩＭＯプロセッサ２２０は、その後、ＮＴ個の変調シンボルストリームを、ＮＴ個の送信機（ＴＭＴＲ）２２２ａないし２２２ｔに提供する。いくつかの態様において、ＴＸ  ＭＩＭＯプロセッサ２２０は、データストリームのシンボルと、そのシンボルが送信されるアンテナに、ビームフォーミング重みを適用する。
【００３１】
[0043]  各送信機２２２は、１つまたはそれ以上のアナログ信号を提供するために、それぞれのシンボルストリームを受信し処理し、ＭＩＭＯチャネルを通した送信に対して適切となる変調された信号を提供するために、さらに、アナログ信号を調整（例えば、増幅、フィルタリング、アップコンバート）する。送信機２２２ａないし２２２ｔからのＮＴ個の変調された信号は、その後、ＮＴ個のアンテナ２２４ａないし２２４ｔからそれぞれ送信される。
【００３２】
[0044]  受信システム２５０において、変調され送信された信号は、ＮＲ個のアンテナ２５２ａないし２５２ｒにより受信され、各アンテナ２５２から受信された信号は、各受信機（ＲＣＶＲ）２５４ａないし２５４ｒに供給される。それぞれの受信機２５４は、各受信信号を調整（例えば、フィルタリング、増幅、およびダウンコンバート）し、サンプルを提供するために、調整した信号をデジタル化して、さらに対応する「受信された」シンボルストリームを提供するためにサンプルを処理する。
【００３３】
[0045]  ＲＸデータプロセッサ２６０は、その後、ＮＲ個の「検出された」シンボルストリームを提供するために、特定の受信機処理技術に基づいて、ＮＲ個の受信機２５４からＮＲ個の受信されたシンボルストリームを受信し処理する。ＲＸデータプロセッサ２６０は、その後、データストリームに対するトラフィックデータを回復するために、それぞれの検出されたシンボルストリームを復調し、デインターリーブし、デコードする。ＲＸデータプロセッサ２６０による処理は、送信システム２１０におけるＴＸ  ＭＩＭＯプロセッサ２２０および送信データプロセッサ２１４により実行された処理と相補的である。
【００３４】
[0046]  プロセッサ２７０（メモリ２７２とともに動作している）は、周期的に、どのプレコーディングマトリクスを使用すべきかを決定する（下記に論じられている）。プロセッサ２７０は、マトリクスインデックス部とランク値部を有するアップリンクメッセージを定式化する。
【００３５】
[0047]  アップリンクメッセージは、通信リンクおよび／または、受信されたデータストリームに関する数々の種類の情報を含み得る。アップリンクメッセージは、その後、ＴＸデータプロセッサ２３８により処理され、それはまた、データソース２３６から多数のデータストリームに対するトラフィックデータを受信するが、変調器２８０により変調され、送信機２５４ａないし２５４ｒにより調整され、送信システム２１０に返信される。
【００３６】
[0048]  送信システム２１０において、受信システム２５０からの変調された信号は、アンテナ２２４に受信され、受信機２２２により調整され、復調器２４０により復調され、受信システム２５０により送信されたアップリンクメッセージを抽出するためにＲＸデータプロセッサ２４２により処理される。プロセッサ２３０は、その後、ビームフォーミング重みを決定するために、どのプリコーディング・マトリクスを使用すべきかを決定し、ついで、抽出されたメッセージを処理する。
【００３７】
[0049]  図３は、ロングタームエボリューション（ＬＴＥ：Long Term Evolution）通信のダウンリンクにおける典型的なフレーム構成を、概念的に記載したブロック図である。ダウンリンクのための送信時系列は、無線フレームのユニットに分割され得る。各無線フレームは、所定の持続時間（例えば10ミリ秒（ｍｓ））を有し得、および、０ないし９のインデックスを持つ１０個のサブフレームに分割され得る。それぞれのサブフレームは、２つのスロットを含んでいてもよい。したがって、それぞれの無線フレームは、０ないし１９のインデックスを持つ２０個のスロットを含み得る。各スロットは、Ｌ個のシンボル期間、たとえば、通常のサイクリックプレフィックスのための７個のシンボル期間（図３に示す）、または、拡張されたサイクリックプレフィックスのための６個のシンボル期間を含み得る。各サブフレームにおける２Ｌ個のシンボル期間は、０ないし２Ｌ−１のインデックスを割り当てられ得る。利用可能な時間周波数リソースは、リソースブロックに分割され得る。各リソースブロックは、１つのスロットにおけるＮ個のサブキャリア（たとえば、１２個のサブキャリア）をカバーし得る。
【００３８】
[0050]  ＬＴＥにおいて、ｅノードＢは、ｅノードＢにおける各セルについて、プライマリ同期信号（ＰＳＳ：Primary Synchronization Signal）と、セカンダリ同期信号（ＳＳＳ：Secondary Synchronization Signal）を送信し得る。ＰＳＳとＳＳＳは、通常のサイクリックプレフィックスとともに、各無線フレームの各サブフレーム０と５、それぞれにおけるシンボル期間６と５において、図３に示されるように送信され得る。同期信号は、セルの検出と捕捉のためにＵＥによって使用され得る。ｅノードＢは、サブフレーム０のスロット１におけるシンボル期間０ないし３における物理ブロードキャストチャンネル（ＰＢＣＨ：Physical Broadcast Channel）を送信し得る。ＰＢＣＨは、ある特定のシステム情報を搬送し得る。
【００３９】
[0051]  ｅノードＢは、ｅノードＢにおける各携帯電話にセル特有基準信号（ＣＲＳ：Cell-specific Reference Signal）を送信し得る。ＣＲＳは、通常のサイクリックプレフィックスの場合は各スロットのシンボル０、１と４において、拡張されたサイクリックプレフィックスの場合は各スロットのシンボル０、１と３において送信され得る。ＣＲＳは、物理チャネルのコヒーレントな復調、タイミングと周波数トラッキング、無線リンクモニタリング（ＲＬＭ：Radio Link Monitoring）、基準信号受信電力（ＲＳＲＰ：Reference Signal Received Power）および基準信号受信品質（ＲＳＲＱ：Reference Signal Received Quality）測定等のためにＵＥにより使用され得る。
【００４０】
[0052]  ｅノードＢは、図３において見られるように、各サブフレームの最初のシンボル期間において物理制御フォーマットインジケータチャネル（ＰＣＦＩＣＨ：Physical Control Format Indicator Channel）を送信し得る。ＰＣＦＩＣＨは、制御チャネルに使用されるシンボル期間の数（Ｍ）を搬送し得、ここで、Ｍは、１、２または３に等しくなり得、サブフレームからサブフレームへと変更し得る。Ｍはまた、たとえば、１０個未満のリソースブロックを有する狭いシステムバンド幅のために、４に等しくもなり得る。図３に示す例においては、Ｍ＝３である。ｅノードＢは、各サブフレームの最初のＭ個のシンボル期間において、物理ＨＡＲＱインジケータチャネル（ＰＨＩＣＨ：Physical HARQ Indicator Channel）、および物理ダウンリンク制御チャネル（ＰＤＣＣＨ：Physical Downlink Control Channel）を送信し得る。ＰＤＣＣＨおよびＰＨＩＣＨは、また、図３に示す例における、最初の３個のシンボル期間に含まれる。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割当に関する情報と、ダウンリンクチャネルのための制御情報とを搬送し得る。ｅノードＢは、各サブフレームの残りのシンボル期間において、物理ダウンリンク共有チャネル（ＰＤＳＣＨ：Physical Downlink Shared Channel）を送信し得る。ＰＤＳＣＨは、ダウンリンクにおけるデータ送信のためにスケジュールされたＵＥのためのデータを搬送し得る。ＬＴＥにおける様々な信号およびチャネルは、「Evolved Universal Terrestrial Radio Access (E-UTRA)； Physical Channels and Modulation,」と題される、３ＧＰＰＴＳ３６．２１１において説明されており、これは公表されているものである。
【００４１】
[0053]  ｅノードＢは、ｅノードＢに使用されているシステムバンド幅の中心１．０８ＭＨｚにおいて、ＰＳＳ、ＳＳＳとＰＢＣＨを送信し得る。ｅノードＢは、これらのチャネルが送信される各シンボル期間において、システムバンド幅全体にわたり、ＰＣＦＩＣＨおよびＰＨＩＣＨを送信し得る。ｅノードＢは、システムバンド幅のある特定の部分においてＵＥのグループにＰＤＣＣＨを送信し得る。ｅノードＢは、システムバンド幅のある特定の部分において特定のＵＥにＰＤＳＣＨを送信し得る。ｅノードＢは、全てのＵＥにブロードキャスト方式で、ＰＳＳ、ＳＳＳ、ＰＢＣＨ、ＰＣＦＩＣＨ、およびＰＨＩＣＨを送信し得、特定のＵＥにユニキャスト方式でＰＤＣＣＨを送信し得、特定のユーザ装置ＵＥにユニキャスト形式でＰＤＳＣＨを、また、送信し得る。
【００４２】
[0054]  多数のリソース要素が、各シンボル期間において利用可能であり得る。各リソース要素は、１つのシンボル期間において１つのサブキャリアをカバーし得、１つの変調シンボルを送信するために使用され得、それは、実数値または複素数値であり得る。各シンボル期間における基準信号のために使用されないリソース要素は、リソース要素グループ（ＲＥＧ：resource element groups）内に配置され得る。各ＲＥＧは、1つのシンボル期間における４つのリソース要素を含み得る。ＰＣＦＩＣＨは、４つのＲＥＧを占有し得、シンボル期間０において周波数にわたってほぼ均等に間隔をあけられ得る。ＰＨＩＣＨは、３つのＲＥＧを占有し得、１つまたはそれ以上の構成可能なシンボル期間において、周波数にわたって拡散され得る。例えば、ＰＨＩＣＨのための前記３つのＲＥＧは、すべてシンボル期間０に属し得、またはシンボル期間０、１および２において拡散され得る。ＰＤＣＣＨは、９、１８、３２、または６４個のＲＥＧを占有し得、最初のＭ個のシンボル期間において、利用可能なＲＥＧから選択され得る。ＲＥＧの特定の組合せのみが、ＰＤＣＣＨに対して許可され得る。
【００４３】
[0055]  ＵＥは、ＰＨＩＣＨおよびＰＣＦＩＣＨのために使用される特定のＲＥＧを知り得る。ＵＥは、ＰＤＣＣＨのために、ＲＥＧの異なる組み合わせをサーチし得る。探索するための組合せの数は、ＰＤＣＣＨに対して許可された組合せの数よりも通常は少ない。ｅノードＢは、ＵＥがサーチするであろう組み合わせのうちのいずれかにおいてＵＥにＰＤＣＣＨを送信し得る。
【００４４】
[0056]  図４は、ロングタームエボリューション（ＬＴＥ：Long Term Evolution）通信のアップリンクにおける典型的なフレーム構成を概念的に記載したブロック図である。アップリンクのために利用可能なリソースブロック（ＲＢ：Resource Blocks）は、データセクションおよび制御セクションに分割され得る。制御セクションは、システムバンド幅の２つの端に形成されることができ、設定可能なサイズを有することができる。制御セクション内のリソースブロックは、制御情報の送信のためにＵＥに割り当てられ得る。データセクションは、制御セクションに含まれないすべてのリソースブロックを含み得る。図４における設計は、連続するサブキャリアを含むデータセクションを結果としてもたらし、それは、単一のＵＥに、データセクション内のすべての連続するサブキャリアを割り当てられることを可能にし得る。
【００４５】
[0057]  ＵＥは、ｅノードＢに制御情報を送信するために、制御セクションにおけるリソースブロックを割り当てられ得る。ＵＥは、ｅノードＢにデータを送信するために、データセクションにおけるリソースブロックを割り当てられ得る。ＵＥは、制御セクションにおいて、割り当てられたリソースブロックにおける、物理アップリンク制御チャネル（ＰＵＣＣＨ：Physical Uplink Control Channel ）における制御情報を送信し得る。ＵＥは、データセクションにおいて、割り当てられたリソースブロックにおける、物理アップリンク共有チャネル（ＰＵＳＣＨ：Physical Uplink Shared Channel ）におけるデータのみ、またはデータと制御情報の両方を送信し得る。アップリンク送信は、図４に示すように、サブフレームの両方のスロットにわたることができ、周波数にわたってホッピングすることができる。
【００４６】
[0058]  ＬＴＥにおけるＰＳＳ、ＳＳＳ、ＣＲＳ、ＰＢＣＨ、ＰＵＣＣＨ、およびＰＵＳＣＨは、「Evolved Universal Terrestrial Radio Access (E-UTRA); Physical Channels and Modulation,」と題された、３ＧＰＰ  ＴＳ３６．２１１において説明されており、またこれは公表されているものである。
【００４７】
[0059]  一態様において、ここの記載は、複数無線共存ソリューションを促進するために、３ＧＰＰ  ＬＴＥ環境または類似のような、ワイヤレス通信環境内のサポートを提供するためのシステムおよび方法である。
【００４８】
[0060]  今、図５を参照し、記載は、本明細書に記載された様々な態様が機能し得るワイヤレス通信環境５００の一例である。ワイヤレス通信環境５００は、ワイヤレスデバイス５１０、それは複数通信システムと通信する能力があり得るが、を含み得る。これらのシステムは、例えば、一またはより多くのセルラーシステム５２０および／または５３０、一またはより多くのＷＬＡＮシステム５４０および／または５５０、一またはより多くの無線パーソナルエリアネットワーク（ＷＰＡＮ：wireless personal area network）システム５６０、一またはより多くのブロードキャストシステム５７０、一またはより多くの衛星測位システム５８０、図５に示されない他のシステム、または、それについてのいかなる組み合わせを含み得る。下の記載において、「ネットワーク」および「システム」なる用語は、しばしば交換可能に使用されることが理解されるべきである。
【００４９】
[0061]  セルラーシステム５２０と５３０は、それぞれＣＤＭＡ、ＴＤＭＡ、ＦＤＭＡ、ＯＦＤＭＡ単一キャリアＦＤＭＡ（ＳＣ−ＦＤＭＡ）または他の適切なシステムであり得る。ＣＤＭＡシステムは、ユニバーサル地上無線アクセス（ＵＴＲＡ：Universal Terrestrial Radio Access）、ｃｄｍａ２０００等のような無線技術を実装し得る。ＵＴＲＡは、ワイドバンドＣＤＭＡ（ＷＣＤＭＡ（登録商標）：Wideband CDMA）や、ＣＤＭＡの他の変形を含む。さらに、ｃｄｍａ２０００は、ＩＳ−２０００（ＣＤＭＡ２０００  １Ｘ）、ＩＳ−９５およびＩＳ−８５６（ＨＲＰＤ）規格をカバーしている。ＴＤＭＡシステムは、モバイルコミュニケーション用グローバルシステム（ＧＳＭ：Global System for Mobile Communications）（登録商標）、デジタル進化型モバイルフォーンシステム（Ｄ−ＡＭＰＳ；Digital Advanced Mobile Phone System）等のような無線技術を実装し得る。ＯＦＤＭＡシステムは、進化型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１６（ＷｉＭＡＸ）、ＩＥＥＥ８０２．２０、フラッシュ−ＯＦＤＭ（Flash-OFDM）（登録商標）等のような無線技術を実装し得る。ＵＴＬＡおよびＥ−ＵＴＲＡは、ユニバーサルモバイルテレコミュニケーションシステム（ＵＴＭＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「3rd Generation Partnership Project」（３ＧＰＰ）と名付けられた組織からのドキュメントに説明されている。ｃｄｍａ２０００およびＵＭＢは、「3rd Generation Partnership Project 2」（３ＧＰＰ２）と名付けられた組織からのドキュメン
トに説明されている。態様において、セルラーシステム５２０は、多数の基地局５２２、それはそれらの範囲内のワイヤレスデバイスのための二方向通信をサポートし得るが、を含み得る。同様に、セルラーシステム５３０は、それらの範囲内のワイヤレスデバイスのための二方向通信をサポートし得る多数の基地局５３２を含み得る。
【００５０】
[0062]  ＷＬＡＮシステム５４０および５５０は、それぞれ、ＩＥＥＥ８０２．１１（ＷｉＦｉ）、ハイパーランなどのような無線技術を実装し得る。ＷＬＡＮシステム５４０は、二方向通信をサポートし得る一またはより多くのアクセスポイント５４２を含み得る。同様に、ＷＬＡＮシステム５５０は、二方向通信をサポートし得る一またはより多くのアクセスポイント５５２を含み得る。ＷＰＡＮシステム５６０は、ブルートゥース（ＢＴ：Bluetooth）（登録商標）、ＩＥＥＥ８０２．１５などのような無線技術を実装し得る。さらに、ＷＰＡＮシステム５６０は、ワイヤレスデバイス５１０、ヘッドセット５６２、コンピュータ５６４、マウス５６６や同様のような数々のデバイスのための二方向通信をサポートし得る。
【００５１】
[0063]  ブロードキャストシステム５７０は、テレビジョン（ＴＶ）放送システム、周波数変調（ＦＭ）放送システム、デジタル放送システムなどであり得る。デジタル放送システムは、メディアＦＬＯ（商標）、ハンドヘルド用デジタルビデオ放送（ＤＶＢ−Ｈ：Digital Video Broadcasting for Handhelds）、インテグレーテッドサービスデジタルブロードキャスティングフォアテレストリアルテレビジョンブロードキャスティング（ＩＳＤＢ−Ｔ：Integrated Services Digital Broadcasting for Terrestrial Television Broadcasting）または同様のような無線技術を実装し得る。さらに、ブロードキャストシステム５７０は、一方向通信をサポートし得る一またはより多くのブロードキャストステーション５７２を、含み得る。
【００５２】
[0064]  衛星測位システム５８０は、合衆国のグローバルポジショニングシステム（ＧＰＳ：Global Positioning System）、欧州のガリレオシステム（Galileo system）、ロシアのＧＬＯＮＡＳＳシステム、日本上の準天頂衛星システム（ＱＺＳＳ：Quasi-Zenith Satellite System）、インド上のインドのリージョナルナビゲーショナル衛星システム（ＩＲＮＳＳ：Indian Regional Navigational Satellite System）、中国上のバイドゥーシステム（Beidou system）および／または、任意の他の適切なシステムであり得る。さらに、衛星測位システム５８０は、位置決定のための信号を伝送する多数の衛星５８２を含み得る。
【００５３】
[0065]  態様において、ワイヤレスデバイス５１０は、固定され、または移動できるものであり得、また、ユーザ装置（ＵＥ）、モバイル局、モバイル装置、端末、アクセス端末、加入者ユニット、局などに付託され得る。ワイヤレスデバイス５１０は、携帯電話、パーソナルデジタルアシスタンス（ＰＤＡ：personal digital assistance）、ワイヤレスモデム、ハンドヘルドデバイス、ラップトップコンピュータ、コードレスフォーン、ワイヤレスローカルループ（ＷＬＬ：wireless local loop）局、などであり得る。さらに、ワイヤレスデバイス５１０は、セルラーシステム５２０および／または５３０、ＷＬＡＮシステム５４０および／または５５０、ＷＰＡＮシステム５６０を伴うデバイス、および／または任意の他の適切なシステムおよび／またはデバイスとの二方向通信に携わり得る。ワイヤレスデバイス５１０は、ブロードキャストシステム５７０および／または衛星測位システム５８０からの信号を付加的に、または選択的に受信し得る。一般に、前記ワイヤレスデバイス５１０が、任意に与えられた瞬間にも、任意の数のシステムとも通信し得ることが、理解され得る。また、ワイヤレスデバイス５１０は、同時に機能する、その構成となる無線デバイスの様々なデバイス間の共存の問題を経験し得る。それ故に、デバイス５１０は、さらに下記に説明された共存の問題を検索および和らげる機能的なモジュールを有する共存管理装置（ＣｘＭ：coexistence manager）（図示せず）を含んでいる。
【００５４】
[0066]  次の図６についてみると、複数の無線ワイヤレスデバイス６００のための設計例を説明するブロック図が提供されており、図５の無線機５１０の実現に使われ得る。図６が説明するように、ワイヤレスデバイス６００は、Ｎ個の無線機６２０ａから６２０ｎを含み得、それらはそれぞれＮ個のアンテナ６１０ａから６１０ｎに組み合わされ得、ここでＮは、任意の整数値であり得る。しかしながら、それぞれの無線機６２０は、任意の数のアンテナ６１０とも組み合わされ得、複数の無線機６２０もまた、与えられたアンテナ６１０を共有できることが、理解されるべきである。
【００５５】
[0067]  一般に、無線機６２０は、電磁的スペクトラムにてエネルギーを発散または放射する、電磁的スペクトラムにてエネルギーを受信する、または、伝導手段を介して伝搬するエネルギーを発生するユニットであり得る。例として、無線機６２０は、システムまたはデバイスへ信号を送信するユニット、または、システムまたはデバイスからの信号を受信するユニットであり得る。それ故に、無線機６２０が、ワイヤレス通信をサポートするために利用され得ることが、理解され得る。他の例では、無線機６２０は、また、ノイズを放射するユニット（例えばコンピュータにおけるスクリーン、回路基板など）であり得、それは他の無線機の性能に影響を与え得る。それ故に、無線機６２０が、また、ワイヤレス通信をサポートすることなく干渉しノイズを放射するユニットであり得ることが、さらに理解され得る。
【００５６】
[0068]  一態様では、それぞれの無線機６２０が、一またはより多くのシステムとともに通信をサポートし得る。複数の無線機６２０は、付加的にまたは選択的に、例えば異なった周波数バンドにて送信または受信するための与えられたシステムに使用され得る。(例えばセルラーおよびＰＣＳバンド)。
【００５７】
[0069]  他の態様では、デジタルプロセッサ６３０は、無線機６２０ａから６２０ｎに組み合され得、無線機６２０を経由して送信され、または受信されたデータのための処理のような様々な機能を実行し得る。それぞれの無線機６２０のための前記処理は、その無線機によってサポートされた無線技術によって左右され得、送信機のために暗号化、コード化、変調などを、受信機のために復調、デコード化、暗号解読化などを、または同様を含み得る。
【００５８】
一つの例においては、デジタルプロセッサ６３０は、ここでおおまかに説明されたように、ワイヤレスデバイス６００の性能を改善するために、無線機６２０の動作を制御する共存管理装置（ＣｘＭ：coexistence manager）６４０を含み得る。共存管理装置６４０は、データベース６４４へのアクセスを持ち得、それは、無線機６２０の動作を制御するために使用される情報を保存し得る。さらに下記に説明されたように、共存管理装置６４０は、無線間のインターフェースを減少させる種々の技術に適合され得る。
【００５９】
一つの例において、共存管理装置６４０は、ＬＴＥが非アクティブの期間に通信することをＩＳＭ無線に許すＤＲＸサイクルまたはギャプパターンの測定を要求する。
【００６０】
[0070]  簡単のために、デジタルプロセッサ６３０は、単一のプロセッサとして、図６に示される。しかしながら、デジタルプロセッサ６３０が、任意の数のプロセッサ、コントローラ、メモリなどを含み得ることは、理解されるべきである。一つの例において、コントローラ／プロセッサ６５０は、ワイヤレスデバイス６００内の種々のユニットの動作を命令し得る。
【００６１】
付加的にまたは選択的に、メモリ６５２は、ワイヤレスデバイス６００のために、プログラムコードおよびデータを保存し得る。前記デジタルプロセッサ６３０、コントローラ／プロセッサ６５０およびメモリ６５２は、一またはそれ以上の集積回路（ＩＣ：integrated circuits）、特定用途向け集積回路（ＡＳＩＣ：application specific integrated circuits）などに実装され得る。詳述する方法、限定されない例によれば、デジタルプロセッサ６３０は、モバイルステーションモデム（ＭＳＭ：Mobile Station Modem）ＡＳＩＣに実装され得る。
【００６２】
[0071]  一態様において、共存管理装置６４０は、各無線機６２０間の衝突に関連した干渉および／または他の性能劣化を避けるため、ワイヤレスデバイス６００により利用される各無線機６２０の動作を管理し得る。共存管理装置６４０は、図１０に説明されたように、一またはそれ以上のプロセスを機能し得る。
【００６３】
さらなる例示によれば、図７における図７００は、所定の決定期間における、７つの無線機の例の間でのそれぞれの潜在的な衝突を表している。図７００に示された例において、７つの無線機は、ＷＬＡＮ送信機（Ｔｗ）、ＬＴＥ送信機（Ｔｌ）、ＦＭ送信機（Ｔｆ）、ＧＳＭ／ＷＣＤＭＡ（登録商標）送信機（Ｔｃ／Ｔｗ）、ＬＴＥ受信機（Ｒｌ）、ブルートゥース受信機（Ｒｂ）、およびＧＰＳ受信機（Ｒｇ）を含む。４つの送信機は、図７００の左側の４つのノードにより表されている。４つの受信機は、図７００の右側の３つのノードにより表されている。
【００６４】
［0072］  送信機と受信機間の潜在的な衝突は、送信機のためのノードおよび受信機のためのノードに接続された枝により図７００において表記されている。それ故に、図７００において示された例において、衝突は、
（１） ＷＬＡＮ送信機（Ｔｗ）とブルートゥース受信機（Ｒｂ）の間；
（２） ＬＴＥ送信機（Ｔｌ）とブルートゥース受信機（Ｒｂ）の間；
（３） ＷＬＡＮ送信機（Ｔｗ）とＬＴＥ受信機（Ｒｌ）の間；
（４） ＦＭ送信機（Ｔｆ）とＧＰＳ受信機（Ｒｇ）の間；
（５） ＷＬＡＮ送信機（Ｔｗ）、ＧＳＭ／ＷＣＤＭＡ送信機（Ｔｃ／Ｔｗ）およびＧＰＳ受信機（Ｒｇ）の間
で存在し得る。
【００６５】
[0073]  一態様において、共存管理装置（coexistence manager）６４０の例は、図８におけるダイヤグラム８００により示されたような手順における時間において動作し得る。ダイヤグラム８００が説明するように、共存管理装置の動作のための時系列は、決定ユニット（ＤＵ；Decision Units）、それは、通知（notifications）が処理されるような、任意の適切な一定形または非定形の長さ(例えば１００マイクロ秒)であり得るが、および、コマンドが様々な無線機６２０に与えられる、および／または、評価フェーズ（evaluation phase）においてとられた動作に基づき、他の動作が実行される応答フェーズ（response phase ）(例えば２０マイクロ秒)に分割され得る。
【００６６】
一例において、ダイヤグラム８００に示される時系列は、例えば、所定のＤＵにおける通知フェーズ（notification phase）の終端にすぐに続く所定の無線機からの通知が確立しているような場合における応答のタイミングのような、時系列のワーストケースの動作により定義された待ち時間パラメータを有し得る。
【００６７】
[0074]  図９に示されるように、バンド７(周波数分割デュープレクス化（ＦＤＤ）アップリンクのための)、バンド４０（時間分割デュープレクス化（ＴＤＤ：time division duplex）通信）、およびバンド３８（ＴＤＤダウンリンクのための）におけるロングタームエボリューション（ＬＴＥ：Long Term Evolution）は、ブルートゥース（ＢＴ：Bluetooth）（登録商標）およびワイヤレスローカルエリアネットワーク（ＷＬＡＮ：Wireless local area network）技術により使用される２．４ＧＨｚ産業・科学・医療（ＩＳＭ：Industrial Scientific and Medical）バンドに隣接している。
【００６８】
これらのバンドのために計画された周波数は、隣接する周波数において干渉を避けるために、従来のフィルタリングソリューションを許している、限られた、または保護されないバンドがあるようなものである。例えば、ＩＳＭとバンド７の間に２０ＭＨｚガードバンドが存在するが、ＩＳＭとバンド４０の間にはガードバンドが存在しない。
【００６９】
[0075]  適切な規格に準拠するため、特定のバンド上で動作する通信デバイスは、全体の指定の周波数レンジ上で動作可能となる。例えば、ＬＴＥ準拠とするために、モバイル局／ユーザ装置は、「第３世代パートナーシッププロジェクト（３ＧＰＰ：3rd Generation Partnership Project）」により定義されたように、バンド４０（２３００−２４００ＭＨｚ）およびバンド７（２５００−２５７０ＭＨｚ）の両方のバンドの全体にわたり通信可能とすべきである。
【００７０】
十分なガードバンドなしで、デバイスは、バンド干渉に起因する他のバンドへと重なりあうフィルターを採用する。バンド４０のフィルターは、バンド全体をカバーするため１００ＭＨｚ幅であるので、それらのフィルターからのロールオーバーは、干渉に起因するＩＳＭバンドへと交差する。同様に、ＩＳＭバンド全体（例えば２４０１からおおよそ２４８０ＭＨｚ）を使うＩＳＭデバイスは、隣接するバンド４０およびバンド７へとロールオーバーするフィルターを採用するとともに、干渉を引き起こし得る。
【００７１】
[0076]  デバイス内の共存の問題は、例えばＬＴＥおよびＩＳＭバンド（例えばブルートゥース／ＷＬＡＮ用）のようなリソース間のＵＥに関し存在し得る。現在のＬＴＥの実施において、ＬＴＥへのどのような干渉問題も、ＵＥおよび／または、ｅノードＢが、内部周波数または、例えば、干渉問題なしにてＬＴＥをチャネルまたはＲＡＴに移動するための内部ＲＡＴのハンドオフ決定を作るために、使用し得るダウンリンクエラーレートにより報告されたダウンリンクの測定(例えば参照信号受信品質（ＲＳＲＱ：Reference Signal Received Quality）測定基準など)において反映される。
【００７２】
しかしながら、仮に、例えば、ＬＴＥアップリンクが、ブルートゥース（Bluetooth）／ＷＬＡＮへの干渉の原因となるが、ＬＴＥダウンリンクは、ブルートゥース（Bluetooth）／ＷＬＡＮからのいかなる干渉を見ない場合、これらの存在する技術が、稼働しないことが理解され得る。より具体的には、ＵＥが、アップリンクにおいて他のチャネルへそれ自身を自発的に移動したとしても、前記ｅノードＢは、いくつかのケースでは、負荷バランス目的のために問題のあるチャネルに戻ってＵＥとハンドオーバーし得る。どのような場合も、存在する技術が、もっとも効率的な経路における問題のあるチャネルのバンド幅の使用を促進しないことが理解され得る。
【００７３】
[0077]  図１０を参照し、複数無線共存管理のためのワイヤレス通信環境内でサポートを提供するためのシステム１０００のブロック図が記載されている。一態様において、前記システム１０００は、一またはそれ以上のＵＥ１０１０および／またはｅノードＢ１０４０を含み得、それは、相互、および／または、システム１０００内における、任意のエンティティとのアップリンクおよび／または、ダウンリンク通信、および／または、任意の他の適切な通信において関与し得る。
【００７４】
一つの例において、ＵＥ１０１０および／またはｅノードＢ１０４０は、周波数チャネルおよびサブバンド、それらの幾つかは、他の無線リソース(例えば、ＬＴＥモデムのようなブロードバンド無線)と潜在的に衝突し得るが、を含み、数々のリソースを使用し通信の動作可能となり得る。このようにして、ここに大まかに記載されたように、ＵＥ１０１０は、ＵＥ１０１０に活用される複数無線間の共存を管理するための様々な技術を活用し得る。
【００７５】
[0078]  少なくとも、上記の短所を和らげるため、ＵＥ１０１０は、ＵＥ１０１０内の複数無線共存のためのサポートを促進するシステム１０００により説明され、およびここに記載されたそれぞれの特徴を活用し得る。例えば、測定モジュール１０１２およびデュープレクス化モジュール１０１４は、提供され得る。測定モジュールは、少なくとも、一つの無線アクセス技術（ＲＡＴ）からの送信電力を測定する。デュープレクス化モジュールは、測定された送信電力が、固有吸収率（ＳＡＲ）閾値に関連した閾値を超えたときに、第一のＲＡＴの送信を第二のＲＡＴの送信と（時間領域または周波数領域デュープレクス化のどちらかを使用し）デュープレクス化する。
【００７６】
[0079]  デバイスの複数無線が使用中であるとき、および各無線が十分な高出力にて送信している場合、そのとき、組み合わされた無線は、ＳＡＲ限界を違反し得る。同時使用事例は、無線アクセス技術（ＲＡＴ）に基づくセルラー(例えばＬＴＥ、ＧＳＭまたはＴＤ−ＳＣＤＭＡ)、および無線アクセス技術に基づくＷＬＡＮ(例えばＷｉＦｉ)が、同時にアクティブとなった時を含む。同時使用は、モバイルデバイスにＳＡＲ限界を超えることを引き起こし得る。具体的には、一つの例は、ソフトＡＰ（softAP：soft access point）ケースのためのものであり、ここでセルラー無線は、バックホール（backhaul）リンクとして使われ、ＷｉＦｉは、他の局へ供給するアクセスリンクとして使われる。本開示の一態様は、ＷｉＦｉおよびＬＴＥ信号の両方を送信しているＵＥが、動作中にＳＡＲの制約に適合するための電力管理に直結している。
【００７７】
[0080]  図１１は、時分割ＬＴＥ（ＴＤ−ＬＴＥ）およびＷＬＡＮ(例えばＷｉＦｉ)送信を有するワイヤレスシステムに適用された電力管理の一例を説明している。ＴＤ−ＬＴＥのために、各ＬＴＥ無線フレームは、一定のアップリンク期間（例えば２ミリ秒（ｍｓ））に続けられた一定のダウンリンク期間（例えば３ミリ秒（ｍｓ））により構成されている。本開示の一態様において、ＷＬＡＮのトランザクションは、ＬＴＥのダウンリンク部分（例えばＷｉＦｉがアクティブ）においてのみ発生する。ＬＴＥのアップリンク部分の間、ＷＬＡＮは送信していない（例えばＷｉＦｉが非アクティブ）。他の無線機が、送信していない時間の間の一つの無線機の送信の構造化により、モバイルデバイスにより送信される全体のエネルギーは、減少される。
【００７８】
この確定的な時分割デュープレクス化は、ＷＬＡＮとＬＴＥ無線に個々に、フルパワーを用い、送信することを可能にし、および、モバイルデバイスに全体のＳＡＲの必要条件に応じることをさらに可能にする。一態様において、電力管理は、ＵＥが、ＬＴＥにおいて送信するように構成されていないときの時間の期間に加え、第二の無線アクセス技術が送信状態にないとき（現在使用されていない送信時間の期間のような）に、第一の無線アクセス技術が送信するような日和見的である。
【００７９】
[0081]  数々の技術が、ＬＴＥのダウンリンク送信時間の期間の間のみＷｉＦｉが、アクティブに送信することを確保するため適用され得る。一つの技術において、ＵＥが、ＷｉＦｉ局（ＳＴＡ）として動作しているとき、そのＵＥ  ＷｉＦｉ送信機は、パワーセーブモードを投入する。一度、局がパワーセーブモードに入ると、それは、ＬＴＥのダウンリンク時間の期間の間、アクセスポイントからパケットを受信することによって起き得る。
【００８０】
一態様において、局は、構成されたＬＴＥの時系列を知り、ＷｉＦｉ無線のみが、パワーセーブ（ＰＳ）−ＰＯＬＬメッセージを使って、ＬＴＥのダウンリンク期間の間にダウンリンクパケットを回収する。（ＰＳ）−ＰＯＬＬメッセージは、ＬＴＥのアップリンク送信の前にダウンリンクパケットを受信し、ＡＣＫを送信するのに十分な時間があることを確保するため、ＬＴＥのアップリンク送信のスタートに先行したガードタイムを送信され得る。ＰＳ−ＰＯＬＬがこの経路を伝達するタイミングで、ＬＴＥのダウンリンク期間の間に、ＷｉＦｉ送信機は、アップリンクパケットのみ送信する。
【００８１】
[0082]  別の技術において、ＵＥが、アクセスポイント（softAP）として動作しているとき、（クリアツーセンド：clear to send）ＣＴＳ−ｔｏ−Ｓｅｌｆメッセージが、ＷｉＦｉのアップリンク送信がＬＴＥのダウンリンク時間の期間の間に発生することを確保するために使用される。具体的には、ＬＴＥのアップリンク期間が始まる前に、ＷｉＦｉ送信機が、ＣＴＳ−ｔｏ−Ｓｅｌｆメッセージを送出し、リモート局に、ＬＴＥのアップリンク時間の期間の間に、ＵＥに対し送信しないよう指示する。ＣＴＳ−ｔｏ−Ｓｅｌｆメッセージは、メッセージが送信される前に、競合のための十分な時間があることを確保するため、ＬＴＥのアップリンク送信のスタートに先行したガードタイムを準備され得る。ＣＴＳ−Ｓｅｌｆメッセージのタイミングは、ＬＴＥのアップリンク時間の期間の間に、アクノレッジメントが、送信されないことを確保する。
【００８２】
[0083]  ＵＥが、ピアツーピア（Ｐ２Ｐ：peer-to-peer）グループオーナーまたはクライアント（例えばＷｉＦｉＤｉｒｅｃｔオペレーションに従って）として機能しているとき、ノティスオブアブセンス（ＮＯＡ：Notice of Absence）メッセージは、ＷｉＦｉのトラフィックを制御するために使用され得る。ノティスオブアブセンスメッセージは、Ｐ２Ｐグループオーナーが利用できない間の欠如期間について、Ｐ２Ｐクライアントへ通知するため、Ｐ２ＰクライアントへＰ２Ｐグループオーナーにより、送出される。Ｐ２Ｐグループオーナーは、Ｐ２Ｐグループオーナーおよびクライアントのみが、ＬＴＥのダウンリンク部分（すなわちＬＴＥのアップリンク部分の間には、ＷＬＡＮトラフィックが発生しない）の間に、起きるように、Ｐ２Ｐクライアントにその周期的なスリープ／アウェイクサイクルを示すためのＮＯＡメッセージを使用し得る。加えて、ＮＯＡメッセージは、ビーコンごとに送出され得る。具体的には、一つの構成において、ＮＯＡメッセージは、アップリンク送信に先行したガードタイム、およびを欠如の期間を含むメッセージを送出される。
【００８３】
[0084]  一態様において、ＷｉＦｉのアップリンク送信は、常にＬＴＥのダウンリンク期間に抑制されるわけではない。具体的には、デュープレクス化は、ＬＴＥ送信（ＴＸ）電力が、ＬＴＥアップリンク時間期間においてＷｉＦｉ無線機が送信した場合に、ＷｉＦｉ送信電力がＳＡＲ限界を超過するほど十分高いときのみ発生する。さらなる態様において、ＷｉＦｉ送信電力を減少することが、ＬＴＥのダウンリンク期間のみへのＷｉＦｉ送信を抑制することよりスループット（throughput）のロスに通じ得る場合、ＷｉＦｉは、ＬＴＥのダウンリンク時間期間に抑制される。前述の論議は、時分割デュープレクス化（ＴＤＤ）に関して、第一ではあるが、本開示は、周波数分割デュープレクス化（ＦＤＤ）にも適用できる。ＦＤＤでは、ＷｉＦｉ送信機は、ＬＴＥ送信機が、そのサブフレームを使用していないとき、アップリンクパケットを送信することを許可される。
【００８４】
[0085]  図１２は、電力管理の方法を説明している。ブロック１２０１において、ＵＥは、少なくとも、一つの無線アクセス技術（ＲＡＴ）からの送信電力を測定する。ブロック１２０２において、ＵＥは、測定された送信電力が、ＳＡＲ閾値に関連する閾値を超えたときに、第一のＲＡＴの送信を第二のＲＡＴの送信と、デュープレクス化する。
【００８５】
[0086]  図１３は、電力管理システム１３１４を採用している装置１３００にためのハードウェア実装の例を説明している図である。電力管理システム１３１４は、バス構造（bus architecture）とともに実装され得、それは、一般的にはバス１３２４によってあらわされる。バス１３２４は、電力管理システム１３１４の特定の用途と全体的な設計の制約によって決まる、任意の数の相互接続バスおよびブリッジを含み得る。バス１３２４は、一またはそれ以上のプロセッサおよび／またはハードウェアモジュールを含む様々な回路と相互にリンクしており、それらは、プロセッサ１３２６、測定モジュール１３０２、デュープレクス化モジュール１３０４およびコンピュータ可読媒体１３２８によりあらわされる。バス１３２４は、また、タイミングソース、周辺機器、電圧レギュレータ、電力管理回路のようなさまざまな他の回路にリンクし得るが、これらは、当該技術でよく知られており、それゆえこれ以上、説明されない。
【００８６】
[0087]  装置は、トランシーバ１３２２と組み合わされた電力管理システム１３１４を含む。トランシーバ１３２２は、１またはそれ以上のアンテナ１３２０と組み合わされる。トランシーバ１３２２は、送信媒体を介して様々な他の装置と通信するための手段を提供する。電力管理システム１３１４は、コンピュータ可読媒体１３２８に組み合わされたプロセッサ１３２６を含んでいる。プロセッサ１３２６は、コンピュータ可読媒体１３２８に保存されたソフトウェアの実行を含む、一般的な処理のための能力を有する。ソフトウェアは、プロセッサ１３２６により実行されたとき、電力管理システム１３１４に、任意の特定の装置のために上記に説明された様々な機能を実行するようにする。コンピュータ可読媒体１３２８は、また、ソフトウェアを実行するときに、プロセッサ１３２６により操作されるデータを記憶するために使用され得る。
【００８７】
電力管理システム１３１４は、さらに送信電力を測定するための測定モジュール１３０２および、第一のＲＡＴの送信を第二のＲＡＴの送信とデュープレクス化するためのデュープレクス化モジュール１３０４を含む。測定モジュール１３０２デュープレクス化モジュール１３０６は、プロセッサ１３２６内で走るソフトウェアモジュールであり得、コンピュータ可読媒体１３２８に内在する／記憶された、プロセッサ１３２６に組み合わされた一またはそれ以上のハードウェアモジュール、または、それらに関するいくつかの組み合わせであり得る。電力管理システム１３１４は、ＵＥ２５０の構成要素であり得、メモリ２７２および／またはプロセッサ２７０を含み得る。
【００８８】
[0088]  一つの構成において、ワイヤレス通信のための装置１３００は、測定のための手段を含む。当該手段は、測定手段により列挙された機能を実行するように構成された装置１３００の測定モジュール１３０２、および／または、電力管理システム１３１４であり得る。一態様において、測定のための前述された手段は、前述された手段により列挙された機能を実行するように構成されたプロセッサ２７０、メモリ２７２、共存管理装置６４０、および／または、測定モジュール１０１２であり得る。
【００８９】
[0089]  一つの態様において、ワイヤレス通信のための装置１３００は、デュープレクス化のための手段を含む。当該手段は、デュープレクス化手段により列挙された機能を実行するように構成された装置１３００のデュープレクス化モジュール１３０４、および／または、電力管理システム１３１４であり得る。一態様において、デュープレクス化のための前述された手段は、前述された手段により列挙された機能を実行するように構成されたプロセッサ２７０、メモリ２７２、共存管理装置６４０、および／または、デュープレクス化モジュール１０１４であり得る。別の態様において、前述された手段は、前述された手段により列挙された機能を実行するように構成された任意のモジュールまたは任意の装置であり得る。
【００９０】
[0090]  上記の例は、ＬＴＥシステムにおいて実装された態様を説明している。しかしながら、開示の範囲は、これに限定されない。数々の態様は、ＣＤＭＡシステム、ＴＤＭＡシステム、ＦＤＭＡシステムおよびＯＦＤＭＡシステムを含むが、これに限定されない任意の種類の通信プロトコルを採用しているもののような他の通信システムとの用途に適応され得る。
【００９１】
[0091]  開示されたプロセスにおける、ステップの特定の順序または階層は、典型的なアプローチの例であることが理解される。設計の選択に基づいて、プロセスにおけるステップの特定の順序または階層は、本開示の範囲内にとどまりながら再構成され得ることが理解される。添付の方法の主張は、サンプルの順序において、様々なステップの要素を提示し、また、提示された特定の順序または階層に限定されることは意図されない。
【００９２】
[0092]  当業者であれば、情報および信号は、任意の様々な異なる技術および技法を用いて表され得ることを理解するであろう。例えば、上記の説明を通して参照され得るデータ、命令群、コマンド、情報、信号、ビット、シンボル、およびチップは、電圧、電流、電磁波、磁界あるいは磁気粒子、光学界または光学粒子、あるいはそれら任意の組み合わせによって表わされ得る。
【００９３】
[0093]  当業者は、ここに開示された態様に関連して説明された様々な実例となる論理ブロック、モジュール、回路、およびアルゴリズムステップが、電子ハードウェア、コンピュータソフトウェア、あるいは両方の組み合わせとして実装され得ることを、さらに理解するであろう。ハードウェアおよびソフトウェアのこの互換性を明確に説明するために、さまざまな実例となるコンポーネント、ブロック、モジュール、回路、およびステップが、概してこれらの機能の観点から、上記に説明されてきた。このような機能性が、ハードウェア、またはソフトウェアとして実装されるかは、システム全体に課せられる設計制約および特定のアプリケーションに依存する。熟練した技術者は、各々の特定のアプリケーションのために、変化を持たせた方法で説明された機能性を実装し得るが、しかし、このような実装の決定は、本開示の範囲からの逸脱を引き起こすものと解釈されるべきでない。
【００９４】
[0094]  ここに開示された態様と関係して説明される様々な実例となる論理ブロック、モジュール、および回路は、汎用目的のプロセッサ、デジタルシグナルプロセッサ（ＤＳＰ：digital signal processor）、特定用途向け集積回路（ＡＳＩＣ：application specific integrated circuits）、フィールドプログラマブルゲートアレイ（ＦＰＧＡ：field programmable gate array）または他のプログラマブルロジックデバイス、ディスクリートゲートまたはトランジスタロジック、ディスクリートハードウェアコンポーネント、もしくは、ここに説明された機能を実行するよう設計されたこれらの任意の組み合わせとともに実装または実行され得る。汎用目的のプロセッサは、マイクロプロセッサであり得るが、別の方法では、プロセッサは、任意の従来のプロセッサ、コントローラ、マイクロコントローラ、もしくはステートマシンであり得る。プロセッサは、また、例えば、ＤＳＰとマクロプロセッサ、複数のマイクロプロセッサ、ＤＳＰコアに結合した１またはそれ以上のマイクロプロセッサ、もしくは任意の他のそのような構成の組み合わせといったコンピューティングデバイスの組み合わせとしても実装され得る。
【００９５】
[0095]  ここで開示された態様に関連して説明されたアルゴリズムまたは方法のステップは、直接ハードウェアにおいて、プロセッサによって実行されるソフトウェアモジュールにおいて、または２つの組み合わせにおいて、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または技術的に知られている記憶媒体の他の何らかの形態に存在し得る。例示的な記憶媒体は、プロセッサが記憶媒体から情報を読み取り、記憶媒体に情報を書き込むことができるように、プロセッサに組み合わされている。別の方法では、記憶媒体は、プロセッサに集約され得る。前記プロセッサおよび記憶媒体は、ＡＳＩＣ内に存在し得る。別の方法では、プロセッサおよび記憶媒体は、ユーザ端末中にディスクリート部品として存在し得る。
【００９６】
[0096]  任意の当業者が、本開示を作りまたは使用することを可能にするために、開示された態様の前記の記述は、提供される。これらの態様に対する様々な変更は、当業者に容易に明白であり、ここにおいて定義された一般的な原理は、本開示の範囲または精神を逸脱することなく他の態様に適用され得る。したがって、本開示は、ここに示された態様に限定されるようには意図されず、ここに開示された新規な特徴および原理と一致する最も広い範囲と考えられるべきである。
以下に本願発明の当初の特許請求の範囲に記載された発明を付記する。
［１］  少なくとも１つの無線アクセス技術（ＲＡＴ）からの送信電力を測定することと、前記測定された送信電力が、固有吸収率（ＳＡＲ）の閾値に関連付けられた値を超えたとき、第１のＲＡＴの送信を第２のＲＡＴの送信とデュープレクス化することと、を備えるワイヤレス通信のための方法。
［２］  前記測定することは、前記第１のＲＡＴからの第１の送信電力を測定することと、前記第２のＲＡＴからの第２の送信電力を測定することと、を備え、デュープレクス化することは、さらに、前記測定された送信電力の合計が、前記固有吸収率（ＳＡＲ）の閾値を超えたとき、前記第１のＲＡＴの送信を前記第２のＲＡＴの送信とデュープレクス化すること、を備える［１］記載の方法。
［３］  デュープレクス化することは、時分割デュープレクス化することである［１］記載の方法。
［４］  前記第１のＲＡＴは、時分割デュープレクス化（ＴＤＤ）ＲＡＴであり、前記第２のＲＡＴによる送信は、前記第１のＲＡＴの受信時間に制限されている［３］記載の方法。
［５］  デュープレクス化することは、日和見的である［１］記載の方法。
［６］  デュープレクス化することは、決定論的である［１］記載の方法。
［７］  前記デュープレクス化することは、少なくともＲＡＴからの送信電力を減少させることが、前記第１のＲＡＴの前記送信を前記第２のＲＡＴの前記送信とデュープレクス化するより低いスループットになるときのみに発生する［１］記載の方法。
［８］  メモリと、前記メモリに組み合わされた少なくとも１つのプロセッサと、を備え、前記少なくとも１つのプロセッサは、少なくとも１つの無線アクセス技術（ＲＡＴ）からの送信電力を測定するように、前記測定された送信電力が、固有吸収率（ＳＡＲ）の閾値に関連付けられた値を超えたとき、第１のＲＡＴの送信を第２のＲＡＴの送信とデュープレクス化するように構成されているワイヤレス通信のための装置。
［９］  前記少なくとも１つのプロセッサは、前記第１のＲＡＴからの第１の送信電力を測定することによって、および、前記第２のＲＡＴからの第２の送信電力を測定することによって、測定するように構成されており前記少なくとも１つのプロセッサは、前記測定された送信電力の合計が、前記固有吸収率（ＳＡＲ）の閾値を超えたとき、前記第１のＲＡＴの送信を前記第２のＲＡＴの送信とデュープレクス化することによってデュープレクス化するように構成されている［８］記載の装置。
［１０］  前記少なくとも１つのプロセッサは、時分割デュープレクス化によりデュープレクス化するよう構成されている［８］記載の装置。
［１１］  前記第１のＲＡＴは、時分割デュープレクス化（ＴＤＤ）ＲＡＴであり、前記第２のＲＡＴによる送信は、前記第１のＲＡＴの受信時間に制限されている［１０］記載の装置。
［１２］  前記少なくとも１つのプロセッサは、日和見的なデュープレクス化に構成されている［８］記載の装置。
［１３］  前記少なくとも１つのプロセッサは、決定論的なデュープレクス化に構成されている［８］記載の装置。
［１４］  前記少なくとも１つのプロセッサは、少なくともＲＡＴからの前記送信電力を減少させることが、前記第１のＲＡＴの前記送信を前記第２のＲＡＴの前記送信とデュープレクス化するより低いスループットになるときのみに、デュープレクス化するように構成されている［８］記載の装置。
［１５］  記録された非一時的なプログラムコードを有する非一時的なコンピュータ可読媒体を備え、前記プログラムコードは、少なくとも１つの無線アクセス技術（ＲＡＴ）からの送信電力を測定するためのプログラムコードと、前記測定された送信電力が、固有吸収率（ＳＡＲ）の閾値に関連付けられた値を超えたとき、第１のＲＡＴの送信を第２のＲＡＴの送信とデュープレクス化するためのプログラムコードと、を有するワイヤレスネットワークにおけるワイヤレス通信のためのコンピュータプログラム製品。
［１６］  測定するための前記プログラムコードは、少なくとも１つの無線アクセス技術（ＲＡＴ）からの送信電力を測定するように構成され、デュープレクス化するための前記プログラムコードは、前記測定された送信電力が、固有吸収率（ＳＡＲ）の閾値に関連付けられた値を超えたとき、前記第１のＲＡＴの送信を前記第２のＲＡＴの送信とデュープレクス化するように構成されている、［１５］記載のコンピュータプログラム製品。
［１７］  デュープレクス化するための前記プログラムコードは、少なくともＲＡＴからの送信電力を減少させることが、前記第１のＲＡＴの前記送信を前記第２のＲＡＴの前記送信とデュープレクス化するより低いスループットになるときのみにデュープレクス化するように構成されている［１５］記載のコンピュータプログラム製品。
［１８］  少なくとも１つの無線アクセス技術（ＲＡＴ）からの送信電力を測定するための手段と、前記測定された送信電力が、固有吸収率（ＳＡＲ）の閾値に関連付けられた値を超えたとき、第１のＲＡＴの送信を第２のＲＡＴの送信とデュープレクス化するための手段と、を有するワイヤレス通信のための装置。
［１９］  前記デュープレクス化するための手段は、日和見的または決定論的である
［１８］記載の装置。
［２０］  前記デュープレクス化するための手段は、少なくともＲＡＴからの前記送信電力を減少させることが、前記第１のＲＡＴの前記送信を、前記第２のＲＡＴの前記送信とデュープレクス化するより低いスループットになるときのみにデュープレクス化するように構成されている［１８］記載の装置。
【図１】
0005837226.tif 000002
【図２】
0005837226.tif 000003
【図３】
0005837226.tif 000004
【図４】
0005837226.tif 000005
【図５】
0005837226.tif 000006
【図６】
0005837226.tif 000007
【図７】
0005837226.tif 000008
【図８】
0005837226.tif 000009
【図９】
0005837226.tif 000010
【図１０】
0005837226.tif 000011
【図１１】
0005837226.tif 000012
【図１２】
0005837226.tif 000013
【図１３】
0005837226.tif 000014